(57)【特許請求の範囲】
【請求項１】
シート状のカバー部材と、スリット状の開口が形成された中空の筒状の本体ケースと、前記カバー部材の一端が固定されており、前記本体ケースの内部に配置されている巻き取り軸と、前記本体ケースの長手方向の両端部にそれぞれ配置されて前記巻き取り軸の端部を回転可能に支持する内ホルダと、前記本体ケースの長手方向において前記内ホルダの外側にそれぞれ配置され、前記内ホルダおよび前記本体ケースに対して前記本体ケースの長手方向にスライド可能な外ホルダと、を有し、
前記外ホルダの、少なくとも、前記本体ケースの長手方向における最外端に位置する端面が、前記外ホルダの、前記内ホルダおよび前記本体ケースに対するスライド時に摺擦する摺擦部分に比べて硬度が低い軟質部分である、カバー装置。
【請求項２】
前記外ホルダの前記端面を構成する前記軟質部分の、前記内ホルダ側の面に、前記軟質部分よりも硬度の高い硬質部分が積層形成されて前記外ホルダの底面が形成されている、請求項１に記載のカバー装置。
【請求項３】
前記硬質部分からなる前記底面に貫通孔が設けられており、前記軟質部分の一部が前記端面から前記貫通孔を貫通して前記底面上に突出する回し込み部を構成している、請求項２に記載のカバー装置。
【請求項４】
前記外ホルダの前記軟質部分は前記内ホルダに比べて硬度が低く、前記外ホルダが前記内ホルダに向かってスライドすると、前記硬質部分が前記内ホルダに当接しない状態で前記回し込み部が前記内ホルダに当接する、請求項３に記載のカバー装置。
【請求項５】
前記外ホルダは、前記軟質部分を構成する軟質樹脂と、少なくとも前記摺擦部分を含む硬質部分を構成する硬質樹脂との二色成形によって形成されている、請求項１から４のいずれか１項に記載のカバー装置。
【発明の詳細な説明】
【技術分野】
【０００１】
本発明は、車両の内部に配置されるカバー装置に関する。
【背景技術】
【０００２】
従来から、車両の内部にトノカバー装置やシェード装置などのカバー装置が配置された構成が知られている。例えば、貨物室、いわゆるラゲージルーム（ラゲージスペース）を外部から視認できないようにするためのトノカバー装置は、可撓性シート状のトノカバーと、トノカバーが出入り可能なスリット状の開口を有する本体ケースを備えている。本体ケースの内部には、トノカバーの一端が固定されている巻き取り軸を含む巻き取り装置が配置されている。本体ケース内の巻き取り軸に巻き取られているトノカバーを、必要に応じて、開口を介して本体ケースの外部に引き出し、引き出したトノカバーによってラゲージルームの上部開口を覆うことができる。トノカバーを使用しない時には、巻き取り装置によってトノカバーの大部分を巻き取って本体ケースの内部に収容しておくことができる。
【０００３】
本体ケースは、ラゲージルームの幅方向に沿って延びる細長い筒状の中空の容器であり、スリット状の開口は、ラゲージルームの幅方向かつ本体ケースの長手方向に沿って延びている。本体ケース内に配置されている巻き取り軸も、ラゲージルームの幅方向かつ本体ケースの長手方向に沿って延びている。巻き取り軸を本体ケース内に回転可能に保持するために、巻き取り軸の端部を回転可能に支持する凹部を有する内ホルダが、本体ケースの両端部にそれぞれ取り付けられている。
【０００４】
例えば車両の使用者がラゲージルーム周辺のスペースを広く利用したい場合などに、トノカバー装置を一時的に取り外すことが望まれる場合があるため、トノカバー装置は車両から取り外し可能であることが好ましい。そこで、車室の内壁に取り付け部を形成し、その取り付け部に対してトノカバー装置を取り外し可能に装着する構成が存在する。具体的には、特許文献１に示すように、本体ケースの長手方向の端部において巻き取り軸を回転可能に支持する内ホルダの外側に、外ホルダを、本体ケースに対して長手方向に相対的にスライド可能にはめ込み、この外ホルダと内ホルダの間にバネ等の伸縮部材を介在させた構成がある。車室の内壁には、互いに間隔を置いて対向する１対の取り付け部を形成し、これらの取り付け部の間にトノカバー装置を配置して、トノカバー装置の両端の外ホルダを取り付け部にそれぞれ係合させて装着する。このような構成の場合、外ホルダに力を加えてバネを圧縮させながら内側（本体ホルダの長手方向中心側）に向かってスライドさせると、トノカバー装置全体の長さが短くなり、車室の内壁の取り付け部と外ホルダとの当接および係合が解除されて、トノカバー装置を取り外すことができる。再取り付け時には、トノカバー装置全体の長さを短くした状態から、取り付け部に対向する位置において外ホルダに加えていた外力を解除してバネ力によって外ホルダを外側に広げることにより、外ホルダが取り付け部に当接して係合して、トノカバー装置が車室内に装着される。シェード装置など、トノカバー装置以外のカバー装置においても、同様に車室内に取り外し可能に装着される構成が採用される場合がある。
【先行技術文献】
【特許文献】
【０００５】
【特許文献１】特開２００６−２６４６２７号公報
【発明の概要】
【発明が解決しようとする課題】
【０００６】
特許文献１に記載されたトノカバー装置のように取り外し可能なカバー装置では、トノカバー装置を取り外す時や取り外した後に、誤って落下させるおそれがある。トノカバー装置を落下させると、床面や地面に外ホルダが当接することが多く、その場合、外ホルダに加わった衝撃がバネを縮め、このバネを介して内ホルダにも衝撃が伝わる。このような衝撃で、外ホルダが破損するのみならず、内ホルダも破損すると、巻き取り軸を安定して回転可能に支持することができなくなるおそれがある。また、外ホルダに加わった衝撃が、バネおよび内ホルダを介して巻き取り軸まで破損させる可能性もある。このように内ホルダや巻き取り軸が破損すると、カバー装置としての機能を果たせなくなる。
【０００７】
そこで、本発明の目的は、誤って落下させた場合にも機能を損なうことが抑えられるカバー装置を提供することにある。
【課題を解決するための手段】
【０００８】
本発明のカバー装置は、シート状のカバー部材と、スリット状の開口が形成された中空の筒状の本体ケースと、カバー部材の一端が固定されており、本体ケースの内部に配置されている巻き取り軸と、本体ケースの長手方向の両端部にそれぞれ配置されて巻き取り軸の端部を回転可能に支持する内ホルダと、本体ケースの長手方向において内ホルダの外側にそれぞれ配置され、内ホルダおよび本体ケースに対して本体ケースの長手方向にスライド可能な外ホルダと、を有する。そして、外ホルダの、少なくとも、本体ケースの長手方向における最外端に位置する端面が、外ホルダの、内ホルダおよび本体ケースに対するスライド時に摺擦する摺擦部分に比べて硬度が低い軟質部分である。
【０００９】
この構成によると、カバー装置を誤って落下させた場合などにも、外ホルダの軟質部分が衝撃を吸収して、内ホルダや巻き取り軸にはあまり大きな衝撃は伝わらず、破損するおそれが小さい。従って、カバー装置としての機能が損なわれることが抑えられる。また、外ホルダのスライド時に内ホルダや本体ケースと摺擦する摺擦部分は硬質部分から構成されているので変形しにくく、外ホルダの内ホルダや本体ケースに対するスライドは、支障なく安定的に行える。
【発明の効果】
【００１０】
本発明のカバー装置によると、誤って落下した場合にも機能を損なうことが抑えられる。
【図面の簡単な説明】
【００１１】
【図１】本発明のカバー装置の一実施形態を示す平面図である。
【図２】図１に示すカバー装置の側面断面図である。
【図３】図１に示すカバー装置の要部を示す拡大断面図であり、（ａ）は外ホルダが定常位置にある状態、（ｂ）は外ホルダが内側にスライドした状態を示す。
【図４】（ａ）は図１に示すカバー装置の内ホルダを内側から見た斜視図、（ｂ）はそれを外側から見た斜視図である。
【図５】（ａ）は図１に示すカバー装置の外ホルダの側面断面図、（ｂ）はその正面断面図、（ｃ）はそれを上方から見た斜視図、（ｄ）はそれを内側から見た斜視図である。
【図６】図５に示す外ホルダの分解斜視図である。
【発明を実施するための形態】
【００１２】
以下、本発明の実施形態について図面を参照して説明する。
図１は本発明のカバー装置の一実施形態であるトノカバー装置１の平面図、図２はその側面断面図である。トノカバー装置１は、可撓性のシート状のカバー部材であるトノカバー２と、トノカバー２を巻き取り可能な巻き取り軸６を含む巻き取り装置４と、巻き取り装置４を収容する中空の筒状の本体ケース３とを有する。本体ケース３には、トノカバー２の幅以上の幅を有するスリット状の開口５が設けられている。本体ケース３内の巻き取り装置４は、巻き取り軸６と、図示しないが巻き取り軸６の回転を制御する回転制御機構が設けられている。図示しない回転制御機構は、巻き取り軸６を巻き取り方向に回転するように付勢するコイルばね等の付勢部材と、巻き取り軸６を静止させることができる停止機構とを含む公知の構成である。
【００１３】
トノカバー２の一端は本体ケース３内の巻き取り軸６に固定されている。トノカバー２の他端は、開口５を介して本体ケース３の外部に引き出され、開口５の幅方向外側に突出するストッパー７が取り付けられている。このストッパー７は開口５を通過することができないため、トノカバー２の他端側の一部は、本体ケース３内に進入不可能であって本体ケース３の外部に常に保持される。
【００１４】
本体ケース３は、開口５を有する両端開放の中空の円筒状または角筒状であり、長手方向の両端部に内ホルダ８が取り付けられて本体ケース３の端部を塞いでいる。図３，４に示すように、内ホルダ８は、巻き取り軸６を回転可能に支持する軸受け部８ａと、バネ受け部８ｂを有し、ねじ止め等によって本体ケース３に固定されている。
【００１５】
図３に示すように、本体ケース３の長手方向において、内ホルダ８よりもさらに外側に外ホルダ９が配置されている。外ホルダ９は、本体ケース３および内ホルダ８に対して固定されてはおらず、本体ケース３および内ホルダ８に対して本体ケース３の長手方向にスライド可能である。具体的には、外ホルダ９は内ホルダ８よりも一回り大きく、内ホルダ８を内部に収容可能なキャップ形状である。内ホルダ８と外ホルダ９の間にはバネ１０等の伸縮部材が配置されている。
【００１６】
そして、本実施形態のトノカバー装置１の外ホルダ９は、図３，５に示すように、硬質部分１１と軟質部分１２とを含む。具体的には、少なくとも、外ホルダ９の、本体ケース３の長手方向の再外端に位置する端面（端面部）１２ａは軟質部分１２である。そして、少なくとも、外ホルダ９の、内ホルダ８と直接または不織布１４（図３参照）等の緩衝材を介して間接的に摺擦する摺擦部分１１ａは、硬質部分１１である。さらに、外ホルダ９の、端面１２ａの反対面（内ホルダ８に対向する面）である底面（底面部）１１ｂも硬質部分であることが好ましい。このように、本実施形態の外ホルダ９は、少なくとも部分的に２層構造である複合部材である。
【００１７】
このようなトノカバー装置１は、一般に、車両のリアシートの後方において、トノカバー２の幅方向、すなわち本体ケース３の長手方向が車幅方向に実質的に沿うように、かつ、本体ケース３の開口５が車両の後方を向いていて、トノカバー２が車幅方向に直交する方向に後方に向かって引き出せるように配置されている。本実施形態のトノカバー装置１によると、トノカバー２の、本体ケース３の外側に位置するストッパー７を含む部分を引っ張ることにより、巻き取り軸６を巻き取り方向と反対の繰り出し方向に回転させながらトノカバー２を引き出すことができる。引き出したトノカバー２は、図示しない公知の回転制御機構の固定機構によって、例えばラゲージルーム１３（図２参照）を覆った状態に保持することができる。そして、その固定機構による固定を解除すると、図示しない付勢部材の付勢力によって巻き取り軸６が巻き取り方向に回転し、ストッパー７が本体ケース３の開口５の縁部に当接する位置まで、トノカバー２は本体ケース３の内部に引き込まれて巻き取り軸６に巻き取られる。
【００１８】
トノカバー装置１を取り外す際には、使用者の手等で、外ホルダ９を、本体ケース３の長手方向中央部に向かって内側に押して、バネ１０を押し縮めながら外ホルダ９を本体ケース３および内ホルダ８に対してスライドさせる。その結果、トノカバー装置１全体の幅（一方の外ホルダ９の端面１２ａから他方の外ホルダ９の端面１２ａまでの距離）が短くなる。それにより、外ホルダ９と車室内の図示しない取り付け部との当接および係合を解除して、トノカバー装置１を車室から取り外すことができる。
【００１９】
このようにして取り外したトノカバー装置１を誤って落下させた場合、車室の床面や地面に外ホルダ９が最初にぶつかる可能性が高い。本実施形態では、外ホルダ９の軟質部分１２（特に端面１２ａ）が、床面や地面にぶつかった時の衝撃を吸収し、外ホルダ９の内側に位置する内ホルダ８や巻き取り装置４等の部材にはあまり大きな衝撃は伝わらない。従って、外ホルダ９が多少傷つく可能性はあっても、その内側の内ホルダ８や巻き取り装置４が破損することはなく、トノカバー装置１としての機能が損なわれることはない。
【００２０】
また、外ホルダ９は、トノカバー装置１の取り付けおよび取り外し時に、内ホルダ８および本体ケース３に対してスライドする。仮に、外ホルダ９の、内ホルダ８および本体ケース３に対して直接または間接的に摺擦する摺擦部分１１ａが外部からの衝撃等によって変形すると、円滑なスライドが行えず、取り付けおよび取り外しに支障が生じる。本発明では、外ホルダ９のうち、少なくとも内ホルダ８および本体ケース３に対する摺擦部分１１ａは硬質部分１１であるため、変形を生じにくく、円滑なスライドを安定して行うことができ、取り付けおよび取り外しに支障を来すことはない。
さらに、外ホルダ９の端面の反対面（内ホルダ８に対向する面）である底面１１ｂが硬質部材であると、内ホルダ８との間でバネ１０をしっかりと保持することができる。
【００２１】
このように、本実施形態によると、取り外し可能なカバー装置１において、車室から取り外した時に誤って落下させても、カバー装置１の機能を担う巻き取り装置４とそれを支持する内ホルダ８に及ぶ衝撃を小さく抑えられる。すなわち、カバー装置１が、落下等の影響で作用を発揮できす使用不能になることが抑えられる。さらに、外ホルダ９の、内ホルダ８および本体ケース３に対する円滑なスライドは確保され、バネ１０を安定して保持して付勢力を働かせることができるため、トノカバー装置１の取り付けおよび取り外しは良好に行える。
【００２２】
以上説明したトノカバー装置１の各部材の詳細について説明する。
本体カバー３は、例えば、アルミニウム等の比較的軟らかい金属からなる筐体であり、材料である金属の可塑性を利用して押し出し成形により形成されることが多い。本実施形態の本体ケース３は、断面が略矩形状の筒状であり、各側面の肉厚は１〜５ｍｍ程度である。図１〜３に示す例では、アルミニウム合金であるＡ６０６３Ｓにアルマイト処理および塗装を施したものを材料として押し出し成形を行い、各側面の肉厚が約１．２ｍｍの角筒状に形成された本体ケース３が用いられている。
【００２３】
トノカバー２は、部分的に巻き取られて本体ケース３内に収容できる可撓性のシート状であり、塩化ビニル（ＰＶＣ）等からなる。図１，２に示す例では、金巾レザー０．５ｔ（ＰＶＣ：０．３ｔ＋基布：０．２ｔ）からなるトノカバー２が用いられている。
【００２４】
本体ケース３の両端部にそれぞれ配置されて端部を塞ぐ内ホルダ８は、ポリアミド、ポリプロピレン、ポリエステル、ポリブチレンテレフタレート（ＰＢＴ）等の樹脂からなる板状の部材である。図１，３，４に示す例では、ＰＢＴからなる内ホルダ８がねじ止めによって本体ケース３に固定されている。そして、内ホルダ８の内側面に設けられた軸受け部８ａが、巻き取り軸６の端部を回転可能に支持している。内ホルダ８の外側面に設けられたバネ受け部８ｂは、バネ１０の一端を支持している。
【００２５】
図１，３，５に示す例の外ホルダ９は、一端が開放し他端が塞がれた短い筒状であり、この筒状部の内部に内ホルダ８が挿入されている。すなわち、外ホルダ９は内ホルダ８を外側から覆っており、内ホルダ８と内ホルダ８が固定されている本体ケース３とによって内側から支持されている。ただし、外ホルダ９は、内ホルダ８および本体ケース３に固定されておらず、内ホルダ８および本体ケース３に対して、本体ケース３の長手方向にスライド可能である。一例としては、図５（ｄ）に示すように、外ホルダ９に、本体ケース３の長手方向に沿って延びる長孔９ａが形成され、本体ケース３に取り付けられたねじ（図示せず）が、長孔９ａに挿通させられている。すなわち、本体ケースに取り付けられたねじが長孔９ａ内に位置し、ねじが長孔９ａの一端部と他端部との間で移動する範囲内で、外ホルダ９は内ホルダ８および本体ケース３に対してスライド可能である。このねじのねじ頭が外ホルダ９の外表面の外側に位置し、ねじ頭の外径が長孔９ａの幅よりも大きいと、長孔９ａおよびねじが、外ホルダ９が内ホルダ８および本体ケース３から外れることを防ぐ脱落防止機構として機能するのでより好ましい。外ホルダ９の、内ホルダと対向する面（筒状部の底面１１ｂ）にバネ受け部１１ｃが設けられている。内ホルダ８のバネ受け部８ｂと外ホルダ９のバネ受け部１１ｃとの間にバネ１０等の伸縮部材が配置されている。外ホルダ９には、スライド時に本体ケース３の開口５を狭くすることがないように、開口５と対向可能にスリット９ｂが設けられる場合がある。
【００２６】
外ホルダ９は、図６に示す硬質部分１１と軟質部分１２とからなる。一例としては、硬質部分１１はポリアセタール（ＰＯＭ）などの硬質樹脂からなり、軟質部分１２は、ショアＡ硬度が８５のオレフィン系熱可塑性エラストマー（ＴＰＯ）などの軟質樹脂からなる。そして、二色成形によって硬質部分１１と軟質部分１２とが一体形成されている。硬質部分１１は、少なくとも、外ホルダ９の、内ホルダ８や本体ケースと摺擦する可能性がある摺擦部分（主に外ホルダ９の内面）を構成している。軟質部分１２は、少なくとも、外ホルダ９の、本体ケース３の長手方向の最外端に位置する端面１２ａを構成している。軟質部分１２は、少なくとも硬質部分１１よりも硬度が低いものである。また、軟質部分１２は内ホルダ８よりも硬度が低い。外ホルダ９の、内ホルダと対向する面（筒状部の底面１１ｂ）は、硬質部分１１であることが好ましい。この外ホルダ９の底面１１ｂは、外ホルダ９の端面１２ａを構成する軟質部分１２の、内ホルダ８側の面に、硬質部分１１が積層形成されることにより形成される。硬質部分１１には、前述したポリアセタールのほか、ナイロン、ＰＢＴ（ポリブチレンテレフタレート）などゴム弾性を有さない硬質樹脂が適する。軟質部分１２には、前述したＴＰＯのほか、スチレン系熱可塑性エラストマーなどゴム弾性を有する軟質樹脂が適する。
【００２７】
また、図５（ａ），（ｂ），６に示すように、軟質部分１２の内面に係合突起１２ｂが設けられ、硬質部分１１の外面には軟質部分１２の係合突起１２ｂが嵌合する係合凹部１１ｄが設けられていると、これらの係合により、硬質部分１１と軟質部分１２とが互いにより強固に固定される。ただし、硬質部分１１に係合突起が設けられ軟質部分１２に係合凹部が設けられている構成にしてもよい。また、係合突起および係合凹部は必ずしも必須の構成要件ではなく、係合突起および係合凹部を持たない構成にすることも可能である。
【００２８】
外ホルダ９の硬質部分１１である底面１１ｂに貫通孔１１ｅが設けられ、軟質部分１２の一部が、端面１２ａの内側から底面１１ｂの貫通孔１１ｅを貫通して内側に突出していることが好ましい、この突出部は、硬質部分１１からなる底面１１ｂ上に部分的に設けられた軟質部分１２であり、回し込み部１２ｃと称される。この回し込み部１２ｃは、射出成形の一種である二色成形で外ホルダ９を形成することによって容易に形成できる。
【００２９】
外ホルダ９がこのような構成であるため、トノカバー装置１を誤って落下させた場合などに外ホルダ９が床面や地面にぶつかって衝撃が加わったとしても、外ホルダ９の軟質部分１２が衝撃を吸収して、内ホルダ８や巻き取り軸６にはあまり大きな衝撃は伝わらない。従って、内ホルダ８に保持された巻き取り軸６が回転可能な状態が保たれ、トノカバー装置１としての機能が損なわれない。特に、回し込み部１２ｃが設けられていると、衝撃によってバネ１０が縮んだとしても、内ホルダ８は、硬質部分１１に当接しない状態で、軟質部分１２である回し込み部１２ｃに当接するので、破損する危険性が非常に小さい。なお、この内ホルダ８の破損防止には、バネの伸縮による衝撃の吸収も大きく寄与している。さらに、回し込み部１２ｃの外径が貫通孔１１ｅの内径よりも大きいと、回し込み部１２ｃは、硬質部分１１と軟質部分１２の剥離や抜け落ちを防止して係合力を高める作用も発揮する。
【００３０】
そして、外ホルダ９の、スライド時に内ホルダ８や本体ケース３と摺擦する摺擦部分は硬質部分１１から構成されているので、変形しにくく、傷や跡残りも生じにくい。従って、外ホルダ９の内ホルダ８や本体ケース３に対するスライドは、支障なく安定的に行える。また、外ホルダ９の、内ホルダと対向する面（筒状部の底面１１ｂ）は硬質部分１１であるため、バネ受け部１１ｃによってバネ１０を安定的に保持することができる。
【００３１】
以上、本発明の一実施形態であるトノカバー装置１について説明したが、カバー部材と巻き取り部と内ホルダと外ホルダとを含む構成であれば、シェード装置等の、トノカバー装置１以外のカバー装置においても本発明を採用可能である。
【符号の説明】
【００３２】
１      トノカバー装置（カバー装置）
２      トノカバー（カバー部材）
３      本体ケース
４      巻き取り装置
５      開口
６      巻き取り軸
８      内ホルダ
８ａ    軸受け部
８ｂ    バネ受け部
９      外ホルダ
１０    バネ（伸縮部材）
１１    硬質部分
１１ａ  摺擦部分
１１ｂ  底面
１１ｃ  バネ受け部
１２    軟質部分
１２ａ  端面
【図１】
0006363481.tif 000002
【図２】
0006363481.tif 000003
【図３】
0006363481.tif 000004
【図４】
0006363481.tif 000005
【図５】
0006363481.tif 000006
【図６】
0006363481.tif 000007